(57)【要約】【課題】            特に台間機をはじめとする小スペースに設置されるべき機器に付設する印刷紙葉類の処理装置にあって、現状ではそれに見合うコンパクトで薄型の処理装置が存在しない点であり、また、従来の装置機構をそのままコンパクトで薄型としてもストックされた印刷紙葉類の取り出し作業等が非常に面倒となり、メンテナンス作業も行ないにくくなってしまうという点である。【解決手段】        挿入路から挿入された印刷紙葉類を、一対の断面Ｓ字状とした回転ガイドバーへ導き、その回転ガイドバーの相互の回転により、前記印刷紙葉類を、その回転ガイドバー方向へ附勢されている受板に押し付け、順次積層収容していく印刷紙葉類の処理装置において、前記挿入路に対象とされる印刷紙葉類の識別センサー群や搬送手段を備え、その挿入路の末端と前記回転ガイドバーの搬送ガイド溝とは直線的に連続されていることとする。【選択図】          図１
2005321951.tif 000002
【特許請求の範囲】
【請求項１】
挿入路から挿入された印刷紙葉類を、一対の断面Ｓ字状とした回転ガイドバーへ導き、その回転ガイドバーの相互の回転により、前記印刷紙葉類を、その回転ガイドバー方向へ附勢されている受板に押し付け、順次積層収容していく印刷紙葉類の処理装置において、前記挿入路に対象とされる印刷紙葉類の識別センサー群や搬送手段を備え、その挿入路の末端と前記回転ガイドバーの搬送ガイド溝とは直線的に連続されていることを特徴とする印刷紙葉類の処理装置。
【請求項２】
前記した受板と対向する側のケーシングサイドはウイング状に開閉されることを特徴とする請求項１に記載の印刷紙葉類の処理装置。
【請求項３】
前記した受板には前記した一対の回転ガイドバー間の一部に窓孔を設け、残留チェックのセンサーを臨ませてあることを特徴とする印刷紙葉類の処理装置。
【請求項４】
前記した回転ガイドバーの外周面には、その回転方向に沿って複数条の凹溝が形成され、その凹溝内に、ケーシングに基端を止着されたネイル部材の先端が接しられていることを特徴とする請求項１、請求項２または請求項３に記載の印刷紙葉類の処理装置。
【請求項５】
前記したネイル部材は弾性を保有していることを特徴とする請求項４に記載の印刷紙葉類の処理装置。
【請求項６】
前記した回転ガイドバーのガイド溝の一部を欠落させ、その欠落部分にケーシング、特にスタッカーに設けられたネイル部の先端を臨ませており、前記した挿入路の挿入口は下面側に位置させて壁面取付タイプとするとともに、前記したスタッカーは前方に略直角程度まで枢動可能としてあることを特徴とする請求項１または請求項３に記載の印刷紙葉類の処理装置。
【発明の詳細な説明】
【技術分野】
【０００１】
本発明は印刷紙葉類の処理装置、特に紙幣の処理装置、それも自動販売機や自動貸出機、両替機等に付設され、挿入された紙幣の真贋や金種を識別し、真正なものを順次ストックしていく処理装置に関する。
【背景技術】
【０００２】
従来より、上記の紙幣処理装置は多様な機器に装備され、無人による取引を可能としているものである。近年ではパチンコやパチスロ等の遊技場にあって、遊技中にパチンコ玉やゲームメダル等の遊技媒体が不足した場合、プレイヤーが席を離れてその遊技媒体の借受をしに行く煩しさを省くため、着席したまま作業を実行できる台間機が開発され、供給されている。
【０００３】
しかし、従来の台間機のシステムは、その多くが挿入口から挿入された紙幣を長い搬路を経由させて島端等に設置されているスタッカー装置まで導き、複数の台間機から送られてくる紙幣を積層収納するものとされている。
【０００４】
かかるシステムをとる場合、上記した長い搬路は通例ベルトを使用することとなり、搬送途中での紙幣の脱落や詰まり等のエラー、ミスカウントその他の故障も発生し易く、その度ごとの対処、メンテナンスも非常に煩わしく面倒なものとなる。
【０００５】
また、各台間機ごとに単独の紙幣処理装置を付設するとなると、現在知られている紙幣処理装置の機構の複雑さや、紙幣の挿入方向を水平方向に想定していること等から台間機自体の幅を大きくせざるを得ず、一つの島において遊技機複数台分のスペースを割かざるを得ない不合理を生じてしまい、前記した機構の複雑さ、換言すれば部品点数の多さから多大な経費を投資しなければならないこととなっている。
【特許文献１】本発明に関して、出願人側で先行する技術文献の調査を行なったが、格別に類似すると思われる文献は発見できなかった。
【発明の開示】
【発明が解決しようとする課題】
【０００６】
本発明が解決しようとする問題点は、特に台間機をはじめとする小スペースに設置されるべき機器に付設する印刷紙葉類の処理装置にあって、現状ではそれに見合うコンパクトで薄型の処理装置が存在しない点であり、また、従来の装置機構をそのままコンパクトで薄型としてもストックされた印刷紙葉類の取り出し作業等が非常に面倒となり、メンテナンス作業も行ないにくくなってしまうという点である。
【課題を解決するための手段】
【０００７】
上記した問題点を解決するために、本発明に係る印刷紙葉類の処理装置は挿入路から挿入された印刷紙葉類を、一対の断面Ｓ字状とした回転ガイドバーへ導き、その回転ガイドバーの相互の回転により、前記印刷紙葉類を、その回転ガイドバー方向へ附勢されている受板に押し付け、順次積層収容していく印刷紙葉類の処理装置において、前記挿入路に対象とされる印刷紙葉類の識別センサー群や搬送手段を備え、その挿入路の末端と前記回転ガイドバーの搬送ガイド溝とは直線的に連続されていることを特徴とし、前記した受板と対向する側のケーシングサイドはウイング状に開閉されることを特徴とし、前記した受板には前記した一対の回転ガイドバー間の一部に窓孔を設け、残留チェックのセンサーを臨ませてあることを特徴としている。
【０００８】
また、本発明に係る印刷紙葉類の処理装置は前記した回転ガイドバーの外周面には、その回転方向に沿って複数条の凹溝が形成され、その凹溝内に、ケーシングに基端を止着されたネイル部材の先端が接しられていることを特徴とし、前記したネイル部材は弾性を保有していることを特徴とし、前記した回転ガイドバーのガイド溝の一部を欠落させ、その欠落部分にケーシング、特にスタッカーに設けられたネイル部の先端を臨ませており、前記した挿入路の挿入口は下面側に位置させて壁面取付タイプとするとともに、前記したスタッカーは前方に略直角程度まで枢動可能としてあることを特徴としている。
【発明の効果】
【０００９】
上記した構成としたことによって、本発明に係る印刷紙葉類の処理装置は導入路からダイレクトに断面Ｓ字状をした一対の回転ガイドバーのガイド溝へ連接されており、例えば対象とする印刷紙葉類を紙幣と想定するならば、その紙幣のサイズとさほど変わらないサイズで構成することができ、前記した回転ガイドバーの回転によって挿入された印刷紙葉類を放出し、受板に押し付け、順次積層ストックしていくので、極めて薄く構成することができ、台間機等の小スペースに設置される機器類への付設要求にも応じることができるものとなっている。
【００１０】
また、本発明に係る印刷紙葉類の処理装置にあって設置現場の状況を考慮してケーシングの一面をウイング状に開閉することができるものとしてあり、積層ストックされた印刷紙葉類の取り出しやメンテナンス作業も行ない易いものとしてある。
【００１１】
さらに、本発明に係る印刷紙葉類の処理装置は、ローディングされた印刷紙葉類が押し付けられていく受板に窓孔を設けてセンサーでチェックすることにより、取り出し忘れの存在を防止することができる。
【００１２】
そして、本発明に係る印刷紙葉類の処理装置は、積層ストックされている印刷紙葉類の取り出し作業時等に略９０度水平方向へ回動させてやることもでき、その際に受板に押し付けられ積層されている印刷紙葉類が下方へ向けてバラけ落ちしてしまうことがないようにネイル部材によって保持しておくことができるものとなっている。
【発明を実施するための最良の形態】
【００１３】
実施例として図に示す形態とすることによって実現した。
【実施例１】
【００１４】
次に、本発明の好ましい実施例を対象とする印刷紙葉類を紙幣として図面を参照して説明する。図１は本発明を実施した紙幣の処理装置の機構を示す側面図、図２は同じく正面図、図３は同じく背面図、図４は同じく平面図、図５は同じく回転ガイドバーを示す部分斜視図、図６は同じくストック状態を示す部分断面図、図７は同じく紙幣の取り出し状態を示す図、図８は別のネイル部材の構成を示す部分断面図、図９は別のネイル部材の構成を示す部分断面図である。
【００１５】
これらの図にあって１は紙幣の処理装置を示している。この紙幣の処理装置１はボックス状のケーシングを有する本体２と、その本体２の前端側にドッキングされた紙幣の導入機構部３とより構成されている。また、この紙幣の処理装置１は台間機等の機器の前面部分に紙幣を長手方向の縦位置で挿入するように想定されている。即ち、図２として示す位置関係で付設されることとなる。
【００１６】
前記した紙幣の導入機構部３の前面には縦スリット状として紙幣の挿入口４が形成されている。この挿入口４は内方に向けてテーパを形成しており導入路５へと連通されている。前記した挿入口４の近傍には光学系の挿入センサーが備えられ、この挿入センサーが紙幣の挿入を検出すると、本体２側の底部に配置されている駆動モーター６が起動されるようになっている。
【００１７】
前記した駆動モーター６のモーター軸には駆動ギヤが取り付けられ、その駆動ギヤと連動するギヤ機構によって上下方向に設けられた第一シャフト７を回転させるものとなっている。この第一シャフト７には所定の間隔を隔てて二つのプーリ８、８が取り付けられており、このプーリ８、８を同期回転させる。
【００１８】
また、前記した第一シャフト７と所定の間隔を隔てた挿入口４側には第二シャフト９が備えられ、この第二シャフト９には前記したプーリ８、８と同一高さ位置に第二プーリ１０、１０が取り付けられているもので、この第二プーリ１０、１０と前記したプーリ８、８には無端の搬送ベルト１１、１１が掛け回されている。なお、図中１２は搬送ベルト１１、１１と転接する転接ローラであり、挿入口４から挿入された紙幣はこの搬送ベルト１１、１１と転接ローラ１２とによって捉えられ、搬送ベルト１１、１１にガイドされて奥方へローディングされることとなる。尚図中１３は紙幣の真贋をチェックする光学系のセンサー群を示している。
【００１９】
さらに、この導入機構部３にあっては導入路５を境とした片側部分３ａが奥端を枢支されて開閉自在とされており、必要に応じてこの片側部分３ａを開き、導入路５、即ち、搬送ベルト１１、１１等の機構やセンサー群１３等を露呈させてメンテナンスも容易に行なえるものとしてある。
【００２０】
一方、本体２側には一対の断面Ｓ字状とした回転ガイドバー１４、１４がそのガイド溝１５、１５に紙幣Ｂの長手方向に沿った両端を受け入れる間隔をもって設けられている。この回転ガイドバー１４は前端に一本の支持ピン１６を突設してその支持ピン１６を支持部に嵌入される。また、後端には間隔を置いて二本の支持ピン（図示せず）が突出されているもので、その二本の支持ピンを回転体１７、１７に挿し込むことで回転されることとなる。
【００２１】
この回転力は本体２の底部に配置された駆動モーター１８により得られる。この駆動モーター１８のモーター軸にはギヤ機構が連接されており、このギヤ機構によって、相互に噛合して、各々が回転体１７、１７と噛合されるギヤ１９、１９を稼動させる。このギヤ１９、１９は相互に噛合されているので相互に逆方向への回転力が生じ、その回転力が回転体１７、１７を介して回転ガイドバー１４、１４に伝えられることとなって、回転ガイドバー１４、１４は同期して相互に逆方向へ回転することとなる。
【００２２】
また、前記した駆動モーター１８の起動は本体２の奥端部分に設けられた紙幣の到達センサー２０によりスイッチングされ、この到達センサー２０が紙幣Ｂの挿入奥端縁が到達したことを検知すると前記した駆動モーター６は停止されてローディングのメカニズムは停止することになる。
【００２３】
さらに、本体２の一方側面側には、前記した回転ガイドバー１４、１４から、その回転によって放出された紙幣Ｂを積層してストックするスタッカー２１が設けられており、本実施例にあって、このスタッカー２１は本体２のケーシングと離脱可能なものとされている。
【００２４】
このスタッカー２１にはコイルスプリング２２によって、常に前方へ向けて附勢された紙幣Ｂの受板２３が備えられており、通常この受板２３の前面に前記した回転ガイドバー１４、１４の外側周面の一部が当接された状態となっている。そして、回転ガイドバー１４、１４のガイド溝１５、１５に側縁をガイドされて保持された紙幣Ｂは、回転ガイドバー１４、１４の相互回転によって受板２３の前面に押し付けられ、回転ガイドバー１４、１４の外側周面の一部とその受板２３の前面間に挟圧積層されていくこととなる。
【００２５】
また、前記した受板２３の長手方向に沿った略中央の後方寄りの位置には窓孔２４が形成されており、この窓孔２４は光学系反射タイプの確認センサー２５が臨まされている。この確認センサー２５によって、積層ストックされた紙幣Ｂを取り出し回収した際に、取り忘れがないかをチェックするものとなっている。
【００２６】
さらに、本体２のケーシングにあって、スタッカー２１あるいは受板２３と対向する側面側は略中央で縦方向に二割されて側板２ａ、２ｂとなっており、その分割基点で各々ピン２６、２６によって枢支され側板２ａ、２ｂはウイング状態に開閉できるものとなっている。このウイング状の開閉によって積層ストックされている紙幣Ｂの回収取り出しやメンテナンス作業も行ない易いものとしている。尚、図中２７、２７は接続のジャックを示している。
【００２７】
そして、前記した回転ガイドバー１４、１４の外周面には、その円周方向（回転方向）に沿って複数条の凹溝２８、２８‥が適宜間隔をおいて形成されている。この凹溝２８、２８‥には通常スタッカー２１の壁体に基端を止着されたネイル部材２９の先端が嵌め合わされており、回転ガイドバー１４、１４の回転により摺接状態とされている。
【００２８】
このネイル部材２９はプラスチック等の可塑材で成形されており、全体的に弾性を保有したものとなっているもので、回転ガイドバー１４、１４の凹溝２８、２８‥との摺接の際の変形防止と後述する積層ストックされている紙幣Ｂの保持のため、その先端２９ａは鈍角に屈曲された構成となっている。
【００２９】
本実施例における紙幣の処理装置１は紙幣Ｂの回収やメンテナンス等の際、付設されている台間機等の機器の前面から手前に全体を引き出すようになっているもので、特に紙幣Ｂの回収取出の場合、スタッカー２１と本体２部分を離し、紙幣Ｂと回転ガイドバー１４、１４との圧接を解放する。この作業の時、紙幣の処理装置１は従前の縦位置から水平位置に略９０°の角度で傾倒（回動）されるものとなっている。
【００３０】
この紙幣の処理装置１の傾倒（回動）を行ない、回転ガイドバー１４、１４を積層ストックされている紙幣Ｂから離すと、そのままでは積層ストックされている紙幣Ｂはバラけて落下してしまうこととなる。これを未然に防止するためネイル部材２９、２９‥を設けておくと、そのネイル部材２９、２９‥の先端２９ａ、２９ａが積層ストックされている紙幣Ｂの両側縁を保持し、落下を防止することができるので、紙幣Ｂをそのまま束状態で回収取り出すことができることとなる。
【００３１】
また、前記したネイル部材２９は図８、図９に示すような構成とすることもできる。図８として示す場合は、ネイル部材３０を略ストレートなピンタイプとしてあり、そのネイル部材３０をスタッカー２１の壁体を貫通させ基端部を外方へ突出させてある。その突出部分はスタッカー２１の外壁面に固設されたカバー３１で囲まれており、このカバー３１内には比較的軽い弾力としたコイルスプリング３２が内蔵され、このコイルスプリング３２はカバー３１の内壁とスプリング受３３の間に弾設されている。
【００３２】
この構成からすると、ネイル部材３０は凹溝２８との摺接によってコイルスプリング３２が押し縮められ、ネイル部材３０はスタッカー２１の外方へ押されていくこととなるが、回転ガイドバー１４、１４、強いては凹溝２８との摺接が解放されると、一杯にコイルスプリング３２の附勢力が作用して、積層ストックされている紙幣Ｂの下面へその先端を位置させることとなる。この際にコイルスプリング受３３はストッパとしても作用することになる。
【００３３】
次いで、図９に示す構成の場合は、ネイル部材３４を略Ｙ字状に形成してあり、上方となる第一脚部３４ａをスタッカー２１の壁内面にビス３５で固定してある。また、下方となる第二脚部３４ｂは先端を屈曲させてスタッカー２１の壁面に形成された係合孔に固定することなく係合した構成としてある。そのため、弾性、バネ性がより一層優れたものとなり、保持力も増強されるものとなっている。
【００３４】
また、本実施例に係る紙幣の処理装置１は壁掛け、あるいは壁面取り付けとし、挿入口４をその下面に開口する構成とすることもでき、この場合、スタッカー２１は壁面から離れる方向へ略直角程度に枢動されるものとする。この場合、回転ガイドバー１４、１４の奥端（設置状態では上端）部分でガイド溝１５を欠落させ、その欠落部分に、スタッカー２１の側壁に備えられる。主に切り起こして形成されるネイル部材を臨ませ、積層ストックされている紙幣Ｂの回収取り出し時に、スタッカー２１を枢動させ、そのネイル部材と受板２３間に紙幣Ｂを挟んでバラ付きを起こすことなく作業することを可能とできる。
【産業上の利用可能性】
【００３５】
本発明の実施例は上記したように構成されている。この実施例では対象となる印刷紙葉類として紙幣を想定しているが、この紙幣は国内のものに限らず外国紙幣にも実施でき、この紙幣のほか商品券等をはじめとする金券、有価証券、各種チケット等の印刷紙葉類を対象として応用の範囲を広く実施することが可能となっている。
【図面の簡単な説明】
【００３６】
【図１】本発明を実施した紙幣の処理装置の機構を示す側面図である。
【図２】正面図である。
【図３】背面図である。
【図４】平面図である。
【図５】回転ガイドバーを示す部分斜視図である。
【図６】ストック状態を示す部分断面図である。
【図７】紙幣の取り出し状態を示す図である。
【図８】別のネイル部材の構成を示す部分断面図である。
【図９】別のネイル部材の構成を示す部分断面図である。
【符号の説明】
【００３７】
１      紙幣の処理装置
２      本体
２ａ    側板
２ｂ    側板
３      導入機構部
３ａ    片側部分
４      挿入口
５      導入路
６      駆動モーター
７      第一シャフト
８      プーリ
９      第二シャフト
１０    第二プーリ
１１    搬送ベルト
１２    転接ローラ
１３    センサー群
１４    回転ガイドバー
１５    ガイド溝
１６    支持ピン
１７    回転体
１８    駆動モーター
１９    ギヤ
２０    到達センサー
２１    スタッカー
２２    コイルスプリング
２３    受板
２４    窓孔
２５    確認センサー
２６    ピン
２７    ジャック
２８    凹溝
２９    ネイル部材
２９ａ  先端
３０    ネイル部材
３１    カバー
３２    コイルスプリング
３３    スプリング受
３４    ネイル部材
３４ａ  第一脚部
３４ｂ  第二脚部
Ｂ      紙幣
【図１】
2005321951.tif 000003
【図２】
2005321951.tif 000004
【図３】
2005321951.tif 000005
【図４】
2005321951.tif 000006
【図５】
2005321951.tif 000007
【図６】
2005321951.tif 000008
【図７】
2005321951.tif 000009
【図８】
2005321951.tif 000010
【図９】
2005321951.tif 000011